(57)【要約】【課題】  金属製容器の口部の変形を防ぐことができ、かつ密封性に優れ、しかもキャップ開栓時にキャップが外れやすくなるのを防ぐことができる金属製容器を提供する。【解決手段】  天板部１２の周縁から垂下した筒部１３を有するキャップ１１が装着される金属製容器３０であって、キャップ１１が装着される口部３１に、キャップ１１が螺着される雄ネジ３２が形成され、雄ネジ３２は、少なくとも１つの不連続部３６を有する。【選択図】    図１
2006137452.tif 000002
【特許請求の範囲】
【請求項１】
天板部の周縁から垂下した筒部を有するキャップが装着される金属製容器であって、
前記キャップが装着される口部に、前記キャップが螺着される雄ネジが形成され、
この雄ネジは、少なくとも１つの不連続部を有することを特徴とする金属製容器。
【請求項２】
前記不連続部は、複数有り、それらのうち少なくとも２つが周方向において位置が離れていることを特徴とする請求項１に記載の金属製容器。
【請求項３】
金属製容器と、その口部に装着されるキャップとを備えた閉止装置であって、
前記キャップは、天板部とその周縁から垂下した筒部とを備え、
前記金属製容器の口部に、前記キャップが螺着される雄ネジが形成され、
この雄ネジは、少なくとも１つの不連続部を有することを特徴とする閉止装置。
【請求項４】
飲料が充填された金属製容器と、その口部に装着されるキャップとを備えた容器詰め飲料であって、
前記キャップは、天板部とその周縁から垂下した筒部とを備え、
前記金属製容器の口部に、前記キャップが螺着される雄ネジが形成され、
この雄ネジは、少なくとも１つの不連続部を有することを特徴とする容器詰め飲料。
【発明の詳細な説明】
【技術分野】
【０００１】
本発明は、飲料などが充填される金属製容器、これを用いた閉止装置、および容器詰め飲料に関する。
【背景技術】
【０００２】
従来、飲料などを充填する容器としては、アルミニウム、アルミニウム合金、スチールなどの金属からなるものがある（例えば、特許文献１を参照）。
図５は、従来の金属製容器と、金属製容器の口部に装着されるキャップとを備えた閉止装置の一例を示す正面図であり、一部、キャップ及び金属製容器の口部の断面と、キャップ下の口部の外観を示している。
閉止装置４０は、金属製容器６０と、その口部６１に装着されるキャップ４１とから構成されている。
金属製容器６０は、首部６５と、その上方に形成された口部６１とを備えている。口部６１には、雄ネジ６２と、環状の膨出段部６３とが形成されている。
【０００３】
キャップ４１は、天板部４２とその周縁から垂下した筒部４３とを備えた金属製のキャップ本体４４と、ライナー４５とを備えている。
筒部４３は、水平スコア４６によって、主部４８と、タンパーエビデンスリング部４９（以下、ＴＥリング部４９という）とに区画されている。ＴＥリング部４９はブリッジ４７を介して主部４８の下端に連結されている。
筒部４３には、キャップ４１を口部６１に装着する際にネジ部５０が形成される。ネジ部５０は、雄ネジ６２に沿う形状となるように形成される。
ＴＥリング部４９の下部は、膨出段部６３に沿って内方に湾曲されて裾部５１となり、キャップ４１を開栓する際、裾部５１は膨出段部６３に係止されるようになっている。
筒部４３の上部には、排気用および洗浄水導入用の孔部６８が形成されている。
【０００４】
キャップ４１は、次のようにして金属製容器６０の口部６１に装着される。
未成形のキャップを口部６１に被せ、キャップ装着装置のプレッシャブロック（図示略）によって天板部４２を下方に押圧（この時の荷重をトップ荷重という）しつつ、ネジ部形成ローラ（図示略）で筒部４３を内方に押圧（この時の荷重をサイド荷重という）することによって、雄ネジ６２に沿う形状のネジ部５０を形成する。
さらに、裾部形成ローラ（図示略）によってＴＥリング部４９の下部を内方に押圧して湾曲させ、裾部５１を形成する。
【０００５】
キャップ４１を開栓方向に回すと、キャップ４１が上昇し、ライナー４５が開口端部６４から離れ、金属製容器６０の密封が解除される。
キャップ開栓の過程では、ＴＥリング部４９の裾部５１が膨出段部６３に係止されることから、主部４８は回転に従って上昇する一方、ＴＥリング部４９は上方への移動が阻止される。このため、ブリッジ４７に引張力が作用し、これらブリッジ４７が破断し、主部４８がＴＥリング部４９から切り離される。
【特許文献１】特開２００３−９４１３３号公報
【発明の開示】
【発明が解決しようとする課題】
【０００６】
金属製容器はガラスや合成樹脂製のものに比べ若干強度が低いため、金属製容器６０の口部６１の変形を防ぐことを目的として、トップ荷重は低目に設定される。このため、キャップ４１の密封性が低くなり易い。
さらに、サイド荷重も低目に設定されるため、ネジ部５０は比較的浅く形成される。
金属製容器６０では、内溶液が炭酸飲料である場合などには容器内圧が高くなるため、キャップ４１を開栓する際に、容器内圧によってキャップ４１が外れ易くなることがあった。
本発明は上記事情に鑑みてなされたもので、キャップ装着時に容器の口部の変形を防ぐことができ、かつ密封性に優れ、しかもキャップ開栓時にキャップが外れやすくなるのを防ぐことができる金属製容器、閉止装置、および容器詰め飲料を提供することを目的とする。
【課題を解決するための手段】
【０００７】
本発明に係る金属製容器は、天板部の周縁から垂下した筒部を有するキャップが装着される金属製容器であって、前記キャップが装着される口部に、前記キャップが螺着される雄ネジが形成され、この雄ネジは、少なくとも１つの不連続部を有していることを特徴とする。
前記不連続部は、複数有り、それらのうち少なくとも２つが周方向に位置が異なるように形成されているのが好ましい。
【０００８】
本発明に係る閉止装置は、金属製容器と、その口部に装着されるキャップとを備えた閉止装置であって、前記キャップは、天板部とその周縁から垂下した筒部とを備え、前記金属製容器の口部に、前記キャップが螺着される雄ネジが形成され、この雄ネジは、少なくとも１つの不連続部を有していることを特徴とする。
【０００９】
本発明に係る容器詰め飲料は、飲料が充填された金属製容器と、その口部に装着されるキャップとを備えた容器詰め飲料であって、前記キャップは、天板部とその周縁から垂下した筒部とを備え、前記金属製容器の口部に、前記キャップが螺着される雄ネジが形成され、この雄ネジは、少なくとも一つの不連続部を有していることを特徴とする。
【発明の効果】
【００１０】
本発明に係る金属製容器の雄ネジは、少なくとも１つの不連続部を有する。
不連続部では、雄ネジを有する部分に比べて、容器軸方向に対して傾斜した部分が少ないので、キャップ装着時に、金属製容器の口部に加えられる容器軸方向のトップ荷重に対して口部が変形し難くなる。
従って、トップ荷重を大きくすることができ、キャップの密封性が向上する。
金属製容器の内容物が炭酸飲料である場合などには、金属製容器の内圧が高くなる。金属製容器の内圧が高い状態でキャップを開栓する際には、開口端部とライナーとの間に僅かな隙間が開いた時に、金属製容器内部のガスは、不連続部を通って排出される。
このため、金属製容器の内圧を速やかに低下させることができる。
従って、キャップの開栓の際に、金属製容器の内部のガス圧によって、キャップが飛ばされるのを防止することができる。
さらに、金属製容器は、雄ネジが不連続部を有しているので、口部外面を洗浄するために孔部から注入された洗浄水は、この不連続部を通って流出し易くなり、洗浄排水が口部外面に滞留することがない。従って、洗浄効果が向上する。
【発明を実施するための最良の形態】
【００１１】
図１は、本発明の閉止装置の一例を示す正面図であり、一部、キャップ及び金属製容器の口部の断面と、口部の外観を示している。
図２は、図１に示す金属製容器の口部を示し、（ａ）は上面図、（ｂ）は正面図である。
図３は、金属製容器の雄ネジの不連続部の一例を示す上面図である。
図４は、金属製容器の雄ネジの不連続部の他の一例を示す上面図である。
【００１２】
この閉止装置１０は、金属製容器３０と、その口部３１に装着されるキャップ１１とから構成されている。
キャップ１１は、天板部１２とその周縁から垂下した筒部１３とを備えた金属製のキャップ本体１４と、樹脂製のライナー１５とを備えている。
筒部１３は、水平スコア１６によって、主部１８と、タンパーエビデンスリング部１９（以下、ＴＥリング部１９という）とに区画されている。ＴＥリング部１９はブリッジ１７を介して主部１８の下端に連結されている。
筒部１３には、キャップ１１を金属製容器３０の口部３１に装着する際にネジ部２０が形成される。ネジ部２０は、金属製容器３０の雄ネジ３２に沿う形状となるように形成される。
ＴＥリング部１９の下部は、膨出段部３３に沿って内方に湾曲されて裾部２１を形成し、キャップ１１を開栓する際に膨出段部３３に係止されるようになっている。
また、筒部１３の上部には、排気用および洗浄水導入用の孔部３８が形成されている。
【００１３】
金属製容器３０は、首部３５と、その上方に形成された口部３１とを備えている。口部３１には、キャップ１１が螺着される雄ネジ３２と、環状の膨出段部３３とが形成されている。図示例では、雄ネジ３２は、約２周回になるように形成されている。
【００１４】
図２に示すように、金属製容器３０の雄ネジ３２には、不連続部３６ａ〜３６ｈが形成されている。不連続部３６ａ〜３６ｈは、ネジ山が形成されず、雄ネジ３２が不連続になった部分である。以下、不連続部３６ａ〜３６ｈを不連続部３６と総称することがある。
不連続部３６の数は、１または複数とすることができる。不連続部３６を複数とする場合には、これらのうち少なくとも２つの不連続部３６は、周方向の位置が互いに異なるようにするのが好ましい。不連続部３６は、１周回あたり３〜４つ形成するのが好ましい。図示例では、不連続部３６は１周回あたり４つ形成されている。不連続部３６は、雄ネジ３２の上端部から下端部にかけて、ほぼ一定間隔毎に形成するのが好ましい。なお、不連続部３６ａ〜３６ｈによって分割された雄ネジ３２を、雄ネジ３２ａ〜３２ｉという。
【００１５】
図２および図３に示すように、不連続部３６の長さＬは、特に限定されないが、ガスの流出し易さから、ある程度の長さが必要であり、雄ネジ３２の高さをＨとした場合、Ｌ≧Ｈであることが好ましい。ここで、雄ネジ３２ａ、３２ｅの高さＨは、雄ネジ３２ａと雄ネジ３２ｅの間の谷部３７からの高さを言う。
不連続部３６は、ネジ山高さが若干低くなることによって雄ネジ３２が不連続になっている部分であっても良い。すなわち、不連続部３６は、雄ネジ３２に形成された凹部とすることができる。
図３に示す例では、不連続部３６ａに面した雄ネジ３２ａ、３２ｂの端部は、間隔をおいて形成されているが、図４に示すように、殆ど間隔をおかずに形成してもよい。
【００１６】
図２に示すように、雄ネジ３２が多段に形成されている部分において、上下に隣接する雄ネジ３２に形成された不連続部３６ａ、３６ｅは、上下方向に並んで形成された方が金属製容器３０内のガスが抜け易くなるため、より好ましい。なお、上下に隣接する雄ネジ３２に形成された不連続部３６は、上下方向に並んで形成されていなくても良く、周方向に位置を違えて形成されても良い。
【００１７】
キャップ１１は、次のようにして金属製容器３０の口部３１に装着される。
未成形のキャップを金属製容器３０の口部３１に被せ、キャップ装着装置のプレッシャブロック（図示略）によって天板部１２を下方に押圧しつつ、ネジ部形成ローラ（図示略）で筒部１３を内方に押圧することによって、雄ネジ３２に沿う形状のネジ部２０を形成する。
さらに、裾部形成ローラ（図示略）によってＴＥリング部１９の下部を内方に押圧し湾曲させ、裾部２１を形成する。
【００１８】
キャップ１１を開栓方向に回すと、キャップ１１が上昇し、ライナー１５が開口端部３４から離れ、金属製容器３０の密封が解除される。
キャップ開栓の過程では、ＴＥリング部１９の裾部２１が膨出段部３３に係止されることから、主部１８は回転に従って上昇するが、ＴＥリング部１９は上方への移動が阻止される。このため、ブリッジ１７に引張力が作用し、ブリッジ１７が破断し、主部１８がＴＥリング部１９から切り離される。
また、キャップ１１を口部３１に装着した状態で、孔部３８からキャップ１１内に洗浄水を流し込むことによって口部３１の外面を洗浄することができる。
【００１９】
本発明に係る金属製容器３０においては、雄ネジ３２が少なくとも１つの不連続部３６を有する。
不連続部３６では、雄ネジ３２を有する部分に比べて、金属製容器３０の中心軸方向に対して傾斜した部分が少ないので、キャップ装着時に、金属製容器３０の口部３１に加えられる前記中心軸方向のトップ荷重に対して口部３１が変形し難くなる。
従って、トップ荷重を大きくすることができ、キャップ１１の密封性が向上する。
【００２０】
金属製容器３０の内容物が炭酸飲料である場合などには、金属製容器３０の内圧が高くなる。
金属製容器３０の内圧が高い状態でキャップ１１を開栓する際には、開口端部３４とライナー１５との間に僅かな隙間が開いた時に、金属製容器３０内部のガスは、不連続部３６を通って排出される。
このため、金属製容器３０の内圧を速やかに低下させることができる。
従って、キャップ１１の開栓の際に、金属製容器３０の内部のガス圧によって、キャップ１１が飛ばされるのを防止することができる。
さらに、金属製容器３０は、雄ネジ３２が不連続部３６を有しているので、口部３１外面を洗浄するために孔部３８から注入された洗浄水は、この不連続部３６を通って流出し易くなり、洗浄排水が口部１１外面に滞留することがないので、洗浄効果が向上する。
【００２１】
金属製容器３０は、不連続部３６が複数箇所形成されている方が、１箇所形成されている場合よりも、強度の高い部分が多くなるため、トップ荷重に対して変形し難くなる。
また、少なくとも２つの不連続部３６が周方向において離れて形成されている方が、強度の偏りが小さくなるため、トップ荷重に対して、変形し難くなる。
【００２２】
上記閉止装置１０は、果樹飲料、茶飲料、コーヒー飲料等の飲料を金属製容器３０に充填し、口部３１にキャップ１１を装着することによって、飲料が充填された容器詰め飲料とすることができる。
【図面の簡単な説明】
【００２３】
【図１】本発明の金属製容器の一例と、その口部に装着されるキャップとを備えた閉止装置を示す正面図である。
【図２】図１に示す金属製容器の口部を示し、（ａ）は上面図、（ｂ）は正面図である。
【図３】図１に示す金属製容器の雄ネジの不連続部を示す上面図である。
【図４】雄ネジの不連続部の他の例を示す上面図である。
【図５】従来の金属製容器の一例と、その口部に装着されるキャップとを備えた閉止装置を示す正面図である。
【符号の説明】
【００２４】
１０…閉止装置、１１…キャップ、１２…天板部、１３…筒部、３０…金属製容器、３１…口部、３２、３２ａ〜３２ｉ…雄ネジ、３６、３６ａ〜３６ｈ…不連続部
【図１】
2006137452.tif 000003
【図２】
2006137452.tif 000004
【図３】
2006137452.tif 000005
【図４】
2006137452.tif 000006
【図５】
2006137452.tif 000007